(57)【要約】      （修正有）【課題】建物防水工事における、フクレ防止の信頼性と断熱性向上、及び工事期間の短縮を実現する塗膜防水用の断熱脱気シートを開発する。【解決手段】塗膜防水用シートであって、施工素地面側から、粘着シートとの界面に非接着部を設けることが可能である樹脂ネット、厚さ０．５〜５ｍｍの粘着シート、独立気泡を有する厚さ３〜６０ｍｍの樹脂フォーム材の順に積層され、粘着シートの粘着性により三者が一体化されてなる断熱脱気シート。【選択図】なし【特許請求の範囲】
【請求項１】
塗膜防水用シートであって、施工素地面側から、粘着シートとの界面に非接着部を設けることが可能である樹脂ネット、厚さ０．５〜５ｍｍの粘着シート、独立気泡を有する厚さ３〜６０ｍｍの樹脂フォーム材の順に積層され、粘着シートの粘着性により三者が一体化されてなることを特徴とする断熱脱気シート。
【請求項２】
請求項１に記載の樹脂ネットは、ポリエチレン、またはポリプロピレンからなり、開口部の面積割合が２０〜５０％であることを特徴とする断熱脱気シート。
【請求項３】
請求項１に記載の粘着シートは、ブチルゴムシートであることを特徴とする断熱脱気シート。
【請求項４】
請求項１に記載の樹脂フォームは、ポリエチレンフォーム材であることを特徴とする断熱脱気シート。
【発明の詳細な説明】
【技術分野】
【０００１】
本発明は、屋根や屋上に施工する塗膜防水工事用の通気断熱シートに関する。
【背景技術】
【０００２】
建物の屋根や屋上部に施工する防水工事としては、アスファルト防水、シート防水、塗膜防水等の工法がある。アスファルト防水は、加熱溶融したアスファルトを防水層として形成するもので、シート防水は、合成ゴム等を主成分とする防水シートを貼り、適当な固定手段で固定するものである。
【０００３】
塗膜防水は、２液硬化型樹脂を主成分とする塗膜防水材を塗布、硬化させることによって防水層を形成するものであり、通常は素地、プライマー塗布、防水材塗布、上塗塗布という工程を経て工事が行なわれる。２液硬化型樹脂としては、ポリウレタン樹脂が例示できる。
【０００４】
近年、上記の塗膜防水工事において、断熱性を付与する目的で、素地と塗膜防水層との間に、ポリエチレンフォーム等の断熱フォーム材を設置する工法がある。但し、直接断熱フォームを貼り付けると、素地から発生する水蒸気により、フクレを起こす恐れがあるため、素地上に通気性のある不織布等による脱気シートを貼り、その上に接着剤等により断熱フォーム材を貼り付ける必要がある。この工法を取る場合には、何層ものシート貼り付け作業を要するため手間がかかり、又工程途中で降雨があると不織布等に水がしみこんでしまうため、一時的な防水養生が必要となる。
このため、複合的な性能を有する断熱シートが開発されており、特開平９−４１４２号には、加硫ゴムシートを中心として、上層側に不織布が、下層側に断熱層が、断熱層の更に下層側に不織布が融着されている複合断熱防水シートが開示されている。
また、特開平１０−３０６５５３号には、連続気泡を有する樹脂シートを挟んで、下層側に通気穴を設けた独立気泡を有する施行面側樹脂シートと、上層側に独立気泡を有する塗膜側樹脂シートとを積層一体化した塗膜防水用脱気断熱樹脂シートが開示されている。
【特許文献１】特開平９−４１４２号
【特許文献２】特開平１０−３０６５５３号
【発明の開示】
【課題を解決するための手段】
【０００５】
そこで、更なるフクレ防止の信頼性と断熱性向上、及び工事期間の短縮という課題を解決せんとして、本発明者は鋭意研究の結果、自身が防水性能を有するブチルゴムを粘着層として、この上層に樹脂フォーム断熱層を、下層に特定の開口部面積を有する樹脂繊維ネットを積層した、断熱脱気シートを開発したものである。その要旨は以下に存する。
【０００６】
塗膜防水用シートであって、施工素地面側から、粘着シートとの界面に非接着部を設けることが可能である樹脂ネット、厚さ０．５〜５ｍｍの粘着シート、独立気泡を有する厚さ３〜６０ｍｍの樹脂フォーム材の順に積層され、粘着シートの粘着性により三者が一体化されてなることを特徴とする断熱脱気シート。
上記の樹脂ネットは、ポリエチレン、またはポリプロピレンからなり、開口部の面積割合が２０〜５０％である断熱脱気シート。
上記の粘着シートは、ブチルゴムシートである断熱脱気シート。
上記の樹脂フォームは、ポリエチレンフォーム材である断熱脱気シート。
以下に詳細に説明する。
【０００７】
断熱脱気シートは、下から脱気層、粘着層、断熱層の３層が一体化してなる。各層を各々説明する。
脱気層は、コンクリート建物におけるコンクリート内部の水蒸気が外部に出た場合、これが原因で防水層にフクレ等の不具合を発生させることを防止するため、建物の施工素地面と本発明の断熱脱気シート中の粘着層との間に通気可能な層を確保し、建物内部から発生した水蒸気等を、本脱気層を経由して外部に排出するものである。
各種樹脂からなるネット状物が例示できる。樹脂としては、ポリエチレン、ポリプロピレン、ポリウレタン、ポリエステル等が使用でき、特にポリエチレン、ポリプロピレンが好適に使用できる。
【０００８】
上記の樹脂ネットは、被施工素地面と粘着層との間の粘着面、同時に通気性を確保するために、開口部を有するものが必須であり、該開口部の面積割合は２０〜５０％が好ましい。開口部とは、樹脂ネットが空間的に素通しとなる部分のことであり、開口部が０%ということは、全く穴の部分がない、フィルム状であるということである。
開口部が２０％未満であると施工素地面と粘着層との密着面積が少ないため、断熱脱気シートの密着性が低下するおそれがある。開口部が５０％を超えると、逆に施工素地面と粘着層との密着面積が大きくなりすぎ、通気性の確保が不十分となるおそれがある。
【０００９】
粘着層は、これ自身であっても防水性を有し、しかも粘着性により通気層と断熱層とを接着一体化する機能を有するものが必要である。
具体的にはブチルゴムシートが好適に使用できる。
ブチルゴムシートの厚さとしては、０．５ｍｍ〜３ｍｍが適当である。０．５ｍｍ未満であると、自身の防水性が十分ではなく、３ｍｍを超える厚さであっても防水性、粘着性に変化はないため、コスト的に不利となってしまう。
【００１０】
粘着層の上層側に接着される断熱層は、樹脂を原料とする発泡プラスチックフォーム材が適当である。更に断熱性のためには独立気泡を有するフォーム材であることが好ましい。フォーム材を構成する樹脂としては、ポリエチレン、ポリスチレン、ポリウレタン、ポリプロピレンが例示され、特にポリエチレンフォーム材が好適に使用できる。
フォーム材の厚さとしては、５ｍｍ〜５０ｍｍが適当である。５ｍｍ未満の厚さであると、断熱性が不十分であるばかりか、強度が不足するおそれがある。５０ｍｍを超える厚さであっても、厚さに比例した断熱性の向上は見られず、コスト的に不利となってしまう。
【００１１】
断熱層と、通気層とは、粘着層の自己粘着力により、３層が相互に接着、一体化した複層のシート材とする。
該シート材を製造する場合には、従来公知の複層シート材の製造方法により製造することが可能である。その一例を示せば、略同面積、同形状に裁断した断熱層フォーム材、粘着層シート材、通気性樹脂ネット材を、粘着層フォーム材を挟み込む様に断熱層シート材と通気性樹脂ネット材を上下から供給し、ローラー等により一定の圧力により圧着一体化する。
【００１２】
断熱脱気シートの粘着層は、ブチルゴム等による自己粘着力を有するため、樹脂ネットの開口部が粘着性があり、したがって、予め樹脂ネットに離型紙を貼っておくことにより、施工現場においては離型紙を剥がすだけで被施工面に貼着することができる。
【００１３】
本発明になる断熱脱気シートは、シート状態であっても、長尺の巻物形態であってもよい。シート状態であれば、小面積の防水施工現場に容易に施工ができる。巻物形態であれば、大面積の防水施工現場への施工にあたって、断熱脱気シートの輸送、搬入が容易であり、かつ施工にあたっても便利である。当然のことながら、シート状態と巻物形態の両シートを併用して工事を行なうことも可能である。
【発明を実施するための最良の形態】
【００１４】
以下に、本発明の理解を助けるために具体的な実施例を説明する。言うまでもないが、本発明は以下の実施例に限定されるものではない。
【実施例】
【００１５】
通気層として、ポリエチレン樹脂による繊維ネットであって、開口部面積が２０％を有するシート状物を、粘着層として、１ｍｍ厚さのブチルゴムシートを、断熱層として、厚さ５ｍｍの独立気泡を有するポリエチレンフォーム材を用いて、ブチルゴムシートを中心に、上にポリエチレンフォーム材、下にポリエチレン樹脂ネットを挟み、加圧ローラーによって３層を接着一体化した。
更にポリエチレン樹脂ネットの表面に離型紙を貼り付け、断熱通気シートを得た。
【００１６】
［試験方法］
鉄筋コンクリート造りの建築物屋上部に、実施例による断熱通気シートを使用して防水工事を施した。
屋上部施工面に、プライマーをローラーにより塗装し、２時間放置して乾燥させた。
実施例に記載の断熱通気シートの離型紙を剥がして、粘着性を有する通気層面を、プライマー塗布面に載置し、軽く圧しつつ、内部に空気が残らない様に注意して貼着した。
断熱層面に、常温２液硬化型ポリウレタン樹脂を主成分とする塗膜防水材を鏝により２回塗りし、１昼夜放置して硬化乾燥させた。
上記塗膜防水面に、常温２液硬化型ポリウレタン樹脂を主成分とする上塗り塗料をローラー塗装し、３時間放置して硬化乾燥させた。
【００１７】
［結果］
本発明による断熱脱気シートを用いた防水工法は、従来のフクレ防止のための通気層形成、接着剤の塗布、断熱フォームシート貼着という一連の工法に比較して、著しく工法に要する時間が短縮され、経済的で効率の良い防水工法の実現に大きく寄与する。また、カラスなど鳥により突つかれることにより防水層が破損する被害に関しても、塗膜防水が破損したとしても、内側の粘着層が防水層として機能しているため、建物に対する防水という性能は維持していた。
【産業上の利用可能性】
【００１８】
本発明による断熱脱気シートは、通気層によるフクレ防止、粘着層による２次防水層及び一体化のための粘着層、断熱層による建物外側断熱（外断熱）の以上３つの機能を併せ持つ複層多機能シートであり、塗膜防水工事の際に予め本シートを施工するのみで、フクレ防止、断熱、更には鳥害による外側防水層破損における下層の２次防水の役割を果たすものであり、迅速で効率的な工事を実現するため、広く建築工事全般に適用が可能なものである。